(57)【要約】【課題】部屋の壁際や家具の際などの掃除時、壁、家具等と吸込口本体の側面との衝突時の衝撃を減じて、壁、家具等に傷を付けることがなく、吸込口体の全幅での掃除ができる吸込口体を提供する。【解決手段】本吸込口体は、ケース体に開口形成された吸込口および前側吸込口と、これら両吸込口に対向して回転自在に軸支された回転清掃体と、この回転清掃体の両側を軸支する一対の軸支部と、この一対の軸支部を覆い被清掃面に接する一対の摺接部と、  軸支部の外側に各々設けられた一対の駆動車輪と、回転清掃体との間に空間部、摺接部との間に通気路が形成されるように、前側吸込口を覆いかつ、ケース体の前面に回動自在に取り付けられた前カバーと、ケース体の側面に設けられ駆動車輪の側面に対向して配置されたバンパーと、駆動車輪とバンパーとの間の少なくとも一方に設けられた緩衝材とを備える吸込口体。【選択図】  図５
2010035829.tif 000002
【特許請求の範囲】
【請求項１】
ケース体と、
このケース体に開口形成された吸込口およびこの吸込口に連通する前側吸込口と、
前記吸込口および前記前側吸込口に対向して回転自在に軸支された回転清掃体と、
この回転清掃体の両側を軸支する一対の軸支部と、
この一対の軸支部を覆いかつ、前記ケース体の下部に設けられ、被清掃面に接する一対の摺接部と、
前記軸支部の外側に各々設けられた一対の駆動車輪と、
前記回転清掃体との間に空間部、摺接部との間に通気路が形成されるように、前記前側吸込口を覆いかつ、前記ケース体の前面に回動自在に取り付けられた前カバーと、
前記ケース体の側面に設けられ前記駆動車輪の側面に対向して配置されたバンパーと、
前記駆動車輪と前記バンパーとの間の少なくとも一方に設けられた緩衝材とを備えることを特徴とする吸込口体。
【請求項２】
電動送風機を収容した掃除機本体と、
この掃除機本体に対して前記電動送風機の吸込側に連通接続される請求項１に記載の吸込口体とを具備することを特徴とする電気掃除機。
【発明の詳細な説明】
【技術分野】
【０００１】
本発明は吸込口体および電気掃除機に係り、特に部屋の壁や家具との接触の際、衝撃を減じるバンパーを備えた吸込口体およびこれを備えた電気掃除機に関する。
【背景技術】
【０００２】
従来、この種の電気掃除機は、電動送風機を収容した掃除機本体を備え、この掃除機本体には、電動送風機の吸込側に連通する集塵部が設けられ、この集塵部は、掃除機本体に形成された本体吸込口と連通し、さらに、この本体吸込口には、ホース体、延長管および吸込口体としての吸込口体が順次連通接続される。
【０００３】
従来の吸込口体は、内部にモーター駆動により回転する回転ブラシを設け、絨毯等の掃除を行ない、接続パイプに接続される。この吸込口体の吸込口には車輪を設け、掃除中に家具等に傷を付けないためのバンパーを軟質塩化ビニール等により形成している。
【０００４】
ところが、このバンパーは部屋の壁際や家具の際などを掃除するとき、壁、家具等にバンパーが衝突する場合、壁、家具等と吸込口の間に空間を狭めることができず、壁、家具際に在る塵埃を十分に吸引できないことがある。
【０００５】
そこで、吸込口の前部に設けたバンパーは、このバンパーが壁や家具等に当接したとき、吸込口の前壁と床面との間に吸引流路を形成するように、付勢力に抗して後方に移動し、吸引力が家具等まで伝わり塵埃が取れ、塵埃残りの発生がない床ブラシが提案されている（例えば、特許文献１参照）。
【０００６】
また、壁際の塵埃を容易に吸い込むことができると共に、互いに直交する壁同士の角部に蓄積された塵埃も確実に除去できるようにするため、吸込口本体の前面及び側面に外周に突出してバンパーを設け、吸込口本体の前面にバンパーの下方に位置して前面吸込開口を設け、吸込口本体の側面にバンパーの下方に位置して外周に突出する突出部を設ける吸込口体が提案されている（例えば、特許文献２参照）。
【０００７】
しかしながら、特許文献１に記載のものは、部屋の壁際や家具の際などの掃除時、壁、家具等と吸込口本体の側面との衝突の緩衝作用を持たず、壁、家具等と吸込口本体の側面との衝突時の衝撃を減じて、壁、家具等に傷が付くのを防止するものではない。
【０００８】
また、特許文献２に記載のものは、吸込口本体の前面及び側面に外周にバンパーを設けるため、吸込口および前側吸込口に対向して回転清掃体を軸支し、この回転清掃体の外側に軸支部を介して駆動車輪を設けることができず、さらに、回転清掃体および軸受部との間に空間を形成するように前カバーを回動自在に設けることができないので、吸込口体の全幅での掃除ができないのみならず、バンパーが吸込口本体に直接取り付けられているので、緩衝作用を十分に発揮させることができず、壁、家具等に傷が付くのを防止することができない。
【特許文献１】特開平１０−４３０９８号公報
【特許文献２】特開２００３−１６４３９７号公報
【発明の開示】
【発明が解決しようとする課題】
【０００９】
本発明は、上記に鑑みなされたもので、部屋の壁際や家具の際などの掃除時、壁、家具等と吸込口本体の側面との衝突時の衝撃を減じて、壁、家具等に傷を付けることがなく、吸込口体の全幅での掃除ができる吸込口体およびこれを備えた電気掃除機を提供することを目的とする。
【００１０】
また、本発明は、部屋の壁際や家具の際などの掃除時、壁、家具等と吸込口本体の側面との衝突時の衝撃を減じて、壁、家具等に傷を付けることがなく、吸込口体の全幅での掃除ができる吸込口体を備えた電気掃除機を提供することを目的とする。
【課題を解決するための手段】
【００１１】
上述した目的を達成するため、本発明に係る吸込口体は、ケース体と、このケース体に開口形成された吸込口およびこの吸込口に連通する前側吸込口と、前記吸込口および前記前側吸込口に対向して回転自在に軸支された回転清掃体と、この回転清掃体の両側を軸支する一対の軸支部と、この一対の軸支部を覆いかつ、前記ケース体の下部に設けられ、被清掃面に接する一対の摺接部と、  前記軸支部の外側に各々設けられた一対の駆動車輪と、前記回転清掃体との間に空間部、摺接部との間に通気路が形成されるように、前記前側吸込口を覆いかつ、前記ケース体の前面に回動自在に取り付けられた前カバーと、前記ケース体の側面に設けられ前記駆動車輪の側面に対向して配置されたバンパーと、前記駆動車輪と前記バンパーとの間の少なくとも一方に設けられた緩衝材とを備えることを特徴とする。
【００１２】
また、本発明に係る電気掃除機は、電動送風機を収容した掃除機本体と、この掃除機本体に対して前記電動送風機の吸込側に連通接続される上記吸込口体とを具備することを特徴とする。
【発明の効果】
【００１３】
本発明に係る吸込口体によれば、部屋の壁際や家具の際などの掃除時、壁、家具等と吸込口本体の側面との衝突時の衝撃を減じて、壁、家具等に傷を付けることがなく、駆動車輪の損傷、ゆがみを防止することができ、吸込口体の全幅での掃除ができる吸込口体およびこれを備えた電気掃除機を提供することができる。
【発明を実施するための最良の形態】
【００１４】
本発明に係る吸込口体およびこれを備えた電気掃除機の一実施形態について添付図面を参照して説明する。
【００１５】
図１は本発明の一実施形態の電気掃除機の概念図であり、図２は本発明の一実施形態の吸込口体の斜視図であり、図３は本吸込口体の縦断面図であり、図４は本吸込口体の底面図であり、図５は本発明の一実施形態の吸込口体を下面から見た斜視図である。
【００１６】
図１に示すように、本実施形態の電気掃除機５１は、掃除機本体５２を備え、この掃除機本体５２は、内部に収容された電動送風機５３の駆動にて生じる吸気風とともに吸い込んだ塵埃を、集塵部に捕集する。
【００１７】
また、掃除機本体５２には、電動送風機５３の動作を制御する制御手段としての図示しない制御回路が収容されているとともに、外部から空気を吸引する本体吸込口５４が前部に開口される。この本体吸込口５４には、可擁性を有し湾曲可能な細長略円筒状のホース体５５が連通接続される。
【００１８】
このホース体５５の先端には、電動送風機５３の動作モードなどが選択可能な手元操作部５６が設けられる。この手元操作部５６には、掃除する際に作業者が把持する把持部５７が基端側に向けて突設され、この把持部５７には、制御回路に所定の信号を送信して掃除機本体５２内の電動送風機５３などを複数の動作モードに設定する複数の設定ボタン５８が設けられる。
【００１９】
さらに、手元操作部５６の先端には、伸縮自在な細長略円筒状の延長管５９が着脱自在に連通接続される。すなわち、延長管５９は、ホース体５５を介して電動送風機５３の吸込側に連通接続される。また、この延長管５９の先端には、例えば室内の被掃除面としての床面の絨毯などの上に載置させて、この絨毯上の塵埃を吸い込む本発明の吸込口体としての床ブラシ１が着脱自在に連通接続される。
【００２０】
従って、床ブラシ１は、延長管５９、ホース体５５および本体吸込口５４を介して、電動送風機５３の吸込側に連通接続される。
【００２１】
図２に示すように、吸込口体としての床ブラシ１は、吸込口体本体としての横長のケース体２と、このケース体２の後部に設けられた接続管３とを備える。
【００２２】
ケース体２は、上側が開放されケース体２の下部をなす下ケース４と、この下ケース４の上部の後側を覆い、下ケース４との間で接続管３を回転自在に挟持する上ケース５と、この上ケース５の前部に取り付けられた蓋部としての前カバー６を備え、ケース体２の側面２ａには、後述のバンパー１２ａ、１２ｂが設けられる。
【００２３】
図３および図４に示すように、下ケース４には、前端部に、回転清掃体である回転ブラシ７を収容する横長四角形状の吸込口８Ａが幅方向に延びて切り欠き形成され、さらに、吸込口８Ａに連通して前側吸込口８Ｂが形成される。従って、回転ブラシ７が吸込口８Ａおよび前側吸込口８Ｂに対向して収容される。両吸込口８Ａ、８Ｂは連通路Ｒによって、接続管３に連通される。
【００２４】
また、吸込口８Ａの両端に設けられる一対の摺接部９ａ、９ｂを隔てて駆動車輪１０ａ、１０ｂを収容する車輪収容部１１ａ、１１ｂが形成される。  ケース体２の側面２ａに設けるバンパー１２ａ、１２ｂは、ケース体２に比べて柔らかい材質からなり、車輪収容部１１ａ、１１ｂの側面部を含む下ケース４の外側の一部に重なって設けられ、駆動車輪１０ａ、１０ｂの側面に対向して配置される。
【００２５】
バンパー１２ａ、１２ｂは同様構造であるので、バンパー１２ｂについてより詳細に説明する。
【００２６】
図４〜図７に示すように、バンパー１２ｂは略ヘッドホーン形状をなし、バンパー１２ｂの取付部１２ｂ１が下ケース４の外側の一部に重なり、取付部１２ｂ１の先端に自由端状態で設けられ、駆動車輪１０ａ、１０ｂの側面を離間状態で覆う略円形の車輪覆い部１２ｂ２と、車輪覆い部１２ｂ２から内方に延出し、駆動車輪１０ｂの前面を離間状態で覆う前面覆い部１２ｂ３とからなり、車輪覆い部１２ｂ２が駆動車輪１０ｂの硬質の合成樹脂からなる車輪本体１０ｂ１に対向し駆動車輪１０ｂを覆う。
【００２７】
図８は車輪本体１０ｂ１に取り付けられる短い毛の不繊布３４ｂの一部を切欠いて示す緩衝材のダンパーへの取り付けた状態を示し、この図８に示すように、駆動車輪１０ｂとバンパー１２ｂとの間の少なくとも一方、例えばバンパー１２ｂの車輪覆い部１２ｂ２には、バンパー１２ｂより軟質の緩衝材１３ｂが取り付けられる。
【００２８】
従って、バンパー１２ａ、１２ｂが壁、家具などに当たっても、緩衝材１３ａ、１３ｂの作用により、壁、家具などへの衝撃が小さく、これらを傷つけることがなき、また、ケース体２や駆動車輪１０ａ、１０ｂへの衝撃も吸収される。
【００２９】
下ケース４の後側寄りの一側には、床面に接触可能な車輪１４が設けられる。さらに、この下ケース４には、床面に対向する下面側に、一対のカバー体１５ａ、１５ｂがそれぞれ着脱自在に螺子１５ａ１、１５ｂ１により螺着される。
【００３０】
図９に示すように、ケース体２には、駆動手段としての電動部である駆動源、すなわちモーター１６と、このモーター１６により回転される回転清掃体としての回転ブラシ７と、この回転ブラシ７の両端部に位置するとともにこの回転ブラシ７と一体的に回転自在な駆動車輪１０ａ、１０ｂと、回転ブラシ７の安全スイッチとなる安全装置１７とがそれぞれ設けられる。
【００３１】
安全装置１７は、床面に接触可能な車輪１４を備え、この車輪１４が、穴部４ａから下ケース４の下方へと露出している。また、安全装置１７は、モーター制御部と電気的に接続されており、車輪１４が床面に接触することでモーター制御部によるモーター１６の駆動を許可するとともに、車輪１４が床面から離間されるとモーター制御部によるモーター１６の駆動を許可しないように構成される。さらに、この安全装置１７は、例えば床面と接触した車輪１４の回転方向によって床ブラシ１の走行方向を検出し、この走行方向に応じて、回転ブラシ７の回転方向を切り換えるようにモーター制御部へと信号を出力可能となっている。
【００３２】
図１０に示すように、下ケース４の吸込口８Ａの後部には、上ケース５側へと略垂直状に立ち上がる壁部１８が形成される。
【００３３】
下ケース４には、吸込口８Ａの両側部の位置で、摺接部９ａ、９ｂの裏面には、軸支部１９ａ、１９ｂが壁部１８に連続して形成され、軸支部１９ａ、１９ｂには、軸受円板２０ａおよび、図１１に示す軸受円板２０ｂを各々回転自在に支持する円弧状の軸受溝２１ａ、２１ｂが形成される。
【００３４】
また、軸支部１９ａ、１９ｂには軸受溝２１ａ、２１ｂの各々内側に隣接して、プーリ収容溝２２ａ、カップリング収容溝２２ｂが設けられる。
【００３５】
従って、下ケース４に設けられる吸込口８Ａ、プーリ収容溝２２ａ、カップリング収容溝２２ｂおよび車輪収容部１１ａ、１１ｂには、図１１に示す回転体組立２３が収容可能になる。
【００３６】
図１１に示すように、この回転体組立２３は、両側を連結軸２４で回転支持される回転ブラシ７と、この回転ブラシ７の一側（図中左側）に設けられたカップリング２５ａの一側に固着され、表面がギヤ歯状に形成された従動プーリ２６と、従動プーリ２６に連設された軸受円板２０ａと、この軸受円板２０ａの外側に設けられた駆動車輪１０ａを備え、これらはいずれも連結軸２４に取り付けられる。
【００３７】
一方、回転ブラシ７の他側（図中右側）には、同様にカップリング２５ｂ、軸受円板２０ｂ、駆動車輪１０ｂを備え、これらは連結軸（図示せず）に取り付けられる。
【００３８】
回転ブラシ７は、取付部材としての略円柱状の回転ブラシ組立３１の周囲に、複数の清掃部材３２が取り付けられる。回転ブラシ組立３１は、例えば金属、あるいは合成樹脂などにより形成される。また、この回転ブラシ組立３１の外周面には、各清掃部材３２の基端側を保持する溝部３３が、周方向に略均等に螺旋状に形成される。
【００３９】
清掃部材３２は、例えば拭取部材であるブレード、掻取部材であるブラシ毛、あるいはこれらの組み合わせなどであり、基端側が回転ブラシ組立３１の溝部３３にそれぞれ保持されることにより、回転ブラシ組立３１の外周面に対して、この回転ブラシ組立３１の軸方向に沿う螺旋壁状で、かつ回転ブラシ組立３１の径方向に先端側が突出している。
【００４０】
図７および図１２に示すように、駆動車輪１０ａ、１０ｂは外周面が平坦な円筒状の車輪本体１０ｂ１の外周面に短い毛の不繊布３４ａ、３４ｂが取り付けられ、さらに、この不繊布３４ａ、３４ｂの上に、回転方向に例えば２０〜３０°の角度を傾いて長い毛の不繊布３５ａ、３５ｂが帯状に取り付けられる。
【００４１】
図１３に示すように、回転体組立２３が下ケース４に収容された状態では、軸受溝２１ａ、２１ｂには、軸受円板２０ａ、２０ｂが回転自在に収容支持され、プーリ収容溝２２ａには、連結軸２４（図１０）に嵌合固定され、いずれも図９に示すモーター１６、駆動プーリ２７により走行するベルト２８によって回転される従動プーリ２６が回転自在に収容され、さらに、プーリ収容溝２２ａには、軸側カップリング２５ａが収容され、カップリング収容溝２２ｂには、図９に示すカップリング２５ｂが収容され、車輪収容部１１ａ、１１ｂには駆動車輪１０ａ、１０ｂが収容される。
【００４２】
従って、回転ブラシ７および駆動車輪１０ａ、１０ｂは、軸受円板２０ａ、２０ｂおよび軸受溝２１ａ、２１ｂを介して、軸支部１９ａ、１９ｂによって回転自在に軸支される。また、回転ブラシ７および駆動車輪１０ｂは、一体的あるいはカップリング２５ｂで分離して、下ケース４から容易に取り外せる（図１０）。
【００４３】
前カバー６は、軸支部１９ａ、１９ｂの両端間に亘って連続する横長状に形成され、断面視（図３）で回転ブラシ７および摺接部９ａ、９ｂの外周に沿って円弧状に湾曲している。そして、前カバー６は、回転ブラシ７との間に空間部Ｓ、摺接部９ａ、９ｂとの間に通気路Ｐ、Ｐが形成されるように、前側吸込口８Ｂを覆い、ケース体２の前面に回動自在に取り付けられる。
【００４４】
前カバー６のケース体２への回動自在な取り付けは、図１０に示すように、前カバー６に設けた複数の取付部６ａおよび、下ケース４に設けた複数の取付部４ｂを貫通する取付軸２ａを用いて行い、前カバー６の前方への常時の付勢は、取付軸２ａが貫通して取り付けられるトーションバネ（図示せず）によって行う。
【００４５】
さらに、前カバー６の両端には後方に略Ｌ字状の折曲部６ｂ、６ｂが設けられ、この折曲部６ｂ、６ｂは摺接部９ａ、９ｂ（図４）および軸支部１９ａ、１９ｂの外側端部１９ａ１、１９ｂ１まで達している。
【００４６】
従って、折曲部６ｂ、６ｂにより通気路Ｐ、Ｐの端部は略閉塞された状態になる。なお、折曲部６ｂ、６ｂには、前カバー６の後退時、回転体組立２３の一部に当たらないように、小さな切欠６ｂ１、６ｂ１が設けられる。
【００４７】
再び、図７および図１２に示すように、摺接部９ａ、９ｂの表面は滑らかな平面状をなし、さらに、この平面に円弧部が連なり、平面状の摺接部９ａ、９ｂの前側（掃除時の床ブラシの前進側）には、短い毛の短起毛布３６ａ、３６ｂが取り付けられ、この短起毛布３６ａ、３６ｂの後側には、短起毛布３６ａ、３６ｂより長い毛の長起毛布３７ａ、３７ｂが取り付けられる。
【００４８】
ケース体２の下面が被清掃面と非接触状態で、短起毛布３６ａ、３６ｂの先端は、長起毛布の先端より低く（下面に近く）両先端間に段差を設け、掃除時の両先端の段差がなくなり、より滑らかに摺接部９ａ、９ｂが滑り易くするとともに、床ブラシ１の後退時、短起毛布３６ａ、３６ｂの先端で絨毯表面に絡まる毛などを掻き取り易くなる。また、短起毛布３６ａ、３６ｂの先端及び長起毛布３７ａ、３７ｂの先端は、共に後方（掃除時の床ブラシの後退側）に向いている。
【００４９】
なお、図４に示すカバー体１５ａ、１５ｂの短起毛布３６ａ、３６ｂと長起毛布３７ａ、３７ｂの走行方向の延長線上には、後側長起毛布３８ａ、３８ｂが取り付けられ、床ブラシ１の走行を容易にする。
【００５０】
次に本発明に係る電気掃除機を用いた掃除について説明する。
【００５１】
図１に示すように、掃除の際には、まず、作業者は、掃除機本体５２の本体吸込口５４に、ホース体５５、延長管５９および床ブラシ１を順次連通接続する。
【００５２】
さらに、作業者が、掃除機本体５２から電源コードを引き出して図示しないコンセントに接続した後、把持部５７を把持して所定の設定ボタン５８を操作すると、この設定ボタン５８により設定された動作モードに応じて電動送風機５３が駆動される。
【００５３】
そして、作業者は、把持部５７を把持して床面上で床ブラシ１を前後に走行させる。駆動車輪１０ａ、１０ｂは回転して、床ブラシ１の走行を助ける。
【００５４】
床ブラシ１の走行により、吸込口８Ａ、前側吸込口８Ｂおよび車輪収容部１１ａ、１１ｂから塵埃を空気とともに吸い込む。
【００５５】
図４に示すように、このとき、摺接部９ａ、９ｂは下方に面しているので、摺接部９ａ、９ｂが被掃除面に当接して、さらに、摺接部９ａ、９ｂに取り付けられた長起毛布３７ａ、３７ｂを介して走行負荷を増加させることなく、床ブラシ１を滑らかに進退する。
【００５６】
図９に示すように、また、車輪１４が床面に接触することで、安全装置１７の機能によって、回転ブラシ７および駆動車輪１０ａ、１０ｂの回転が可能となっている。例えば、床ブラシ１を前方へと走行（前進）させた場合には、車輪１４が前転（正転）し、床ブラシ１を後方へと走行（後退）させた場合には、車輪１４が後転（逆転）するので、この車輪１４の回転方向に応じて、モーター制御部がモーター１６の回転方向を、車輪１４の回転方向と同方向となるように制御する。
【００５７】
この結果、モーター１６の回転が駆動プーリ２７およびベルト２８を介して従動プーリ２６へと伝達されることで、この従動プーリ２６と連結された一方の駆動車輪１０ａが、また、カップリング２５ａを介して回転ブラシ７、および、この回転ブラシ７に連結された他方の駆動車輪１０ｂが、一体的に同方向へと回転する。
【００５８】
図１０に示すように、このとき、回転ブラシ７の回転に伴い、各清掃部材３２が床面の塵埃を掻き取って吸込口８Ａへと運ぶとともに、駆動車輪１０ａ、１０ｂに取り付けた短い毛の不繊布３４ａ、３４ｂ、長い毛の不繊布３５ａ、３５ｂで除去された塵埃は連通溝部８ａを介して吸込口８Ａへと運ばれる。
【００５９】
図７および図１２に示すように、また、摺接部９ａ、９ｂに取り付けられた短起毛布３６ａ、３６ｂ及び長起毛布３７ａ、３７ｂによって掃除され、床ブラシ１のほぼ全幅で掃除をすることができ、特に絨毯を掃除する場合には、摺接部９ａ、９ｂに接する絨毯表面に絡まる毛などは、吸込口８Ａに生じる負圧（吸引力）によって除去しにくいが、短起毛布３６ａ、３６ｂの先端が、長起毛布３７ａ、３７ｂの先端とほぼ同一高さになり、床ブラシ１を後方へと走行（後退）時、短起毛布３６ａ、３６ｂの先端で絨毯表面に絡まる毛などを掻きとることができる。
【００６０】
また、摺接部９ａ、９ｂの前側に短起毛布３６ａ、３６ｂ、後側に長起毛布３７ａ、３７ｂを配置することで、床ブラシ１を後方へと走行（後退）時、長起毛布３７ａ、３７ｂで床ブラシ１を円滑に滑らせ、短起毛布３６ａ、３６ｂの先端で絨毯表面に絡まる毛などを掻きとるので、走行負荷を増加させることなく摺接部９ａ、９ｂの走行面の清掃が十分に行え、さらに、常時被清掃面と接触する長起毛布３７ａ、３７ｂは長い毛を用いているので、磨耗があっても長寿命化を図ることができる。
【００６１】
図８に示すように、さらに、上記掃除過程で、部屋の壁際等の掃除が行われるが、バンパー１２ｂの車輪覆い部１２ｂ２には、緩衝材１３ｂが取り付けられており、バンパー１２ａ、１２ｂが壁、家具などに当たっても、緩衝材１３ａ、１３ｂの衝撃吸収作用により、壁、家具などへの衝撃が小さく、これらを傷つけることがなく、また、ケース体２への衝撃も吸収される。また、駆動車輪１０ａ、１０ｂの損傷、ゆがみを防止することができる。
【００６２】
図５に示すように、また、バンパー１２ａ、１２ｂは、ケース体２に比べて柔らかい材質からなるので、衝突時の衝撃はより小さくなり、さらに、壁、家具などとの接触時、大きな抵抗とならず、床ブラシ１は円滑に進退する。
【００６３】
また、部屋の壁際等の掃除時、床ブラシ１が前進し、前カバー６が壁に当接して、前カバー６は後退する。この後退により、前カバー６と回転ブラシ７との間に形成される空間部Ｓが狭まり、空間部Ｓに作用する吸引力が増し、壁際の塵埃は確実に吸引され、さらに、前カバー６と摺接部９ａ、９ｂとの間に形成される通気路Ｐ、Ｐも狭まり、吸引力が増し、壁際の塵埃は確実に吸引され、さらに、前カバー６と摺接部９ａ、９ｂとの間に形成される通気路Ｐ、Ｐも狭まり、通気路Ｐ、Ｐに作用する吸引力が増し、壁際の塵埃は床ブラシ１の全幅で確実に吸引される。
【００６４】
また、前カバー６に折曲部６ｂ、６ｂが設けられ、通気路Ｐ、Ｐの端部が略閉塞された状態になり、通気路Ｐ、Ｐに作用する吸引力が一層増し、壁際の塵埃は確実に吸引される。
【００６５】
従来がケース体の前面あるいは全周にダンパーを設けるため、前側吸込口を覆うように前カバーを設けることができず、壁際等の塵埃を吸込口体の全幅に渡って効率よく掃除できないのとは異なり、本床ブラシでは、壁、家具などを傷つけることがないことに加えて、壁際等の塵埃を床ブラシの全幅に渡って効率よく掃除できる。
【００６６】
本実施形態の吸込口体およびこれを備えた電気掃除機によれば、部屋の壁際や家具の際などの掃除時、壁、家具等と吸込口本体の側面との衝突時の衝撃を減じて、壁、家具等に傷を付けることがなく、吸込口体の全幅での掃除ができる吸込口体およびこれを備えた電気掃除機が実現する。
【図面の簡単な説明】
【００６７】
【図１】本発明の一実施形態の電気掃除機の概念図。
【図２】本発明の一実施形態の吸込口体の斜視図。
【図３】本発明の一実施形態の吸込口体の縦断面図。
【図４】本発明の一実施形態の吸込口体の底面図。
【図５】本発明の一実施形態の吸込口体のケース体を下面から見た斜視図。
【図６】本発明の一実施形態の吸込口体のケース体の側面図。
【図７】本発明の一実施の形態の吸込口体に設けた他側の摺接部の拡大図。
【図８】本発明の一実施形態の吸込口体に用いる緩衝材をダンパーに取り付けた状態を示す縦断面図。
【図９】本発明の一実施形態の吸込口体のケース体を除去して示す概念図。
【図１０】本発明の一実施形態の吸込口体のケース体を下面から見た斜視図。
【図１１】本発明の一実施の形態の吸込口体の回転ブラシの分解斜視図。
【図１２】本発明の一実施の形態の吸込口体に設けた一側の摺接部の拡大図。
【図１３】本発明の一実施の形態の吸込口体のカバー体を除去して示す底面図。
【符号の説明】
【００６８】
１  床ブラシ
２  ケース体
２ａ  側面
３  接続管
４  下ケース
４ａ  穴部
５  上ケース
６  前カバー
６ｂ１、６ｂ１  切欠
７  回転ブラシ
８Ａ  吸込口
８ａ  連通溝部
８Ｂ  吸込口
９ａ、９ｂ  摺接部
１０ａ、１０ｂ  駆動車輪
１０ｂ１  車輪本体
１１ａ、１１ｂ  車輪収容部
１２ａ、１２ｂ  バンパー部材
１２ｂ１  取付部
１２ｂ２  車輪覆い部
１３ａ、１３ｂ  緩衝材
１４  車輪
１５ａ、１５ｂ  カバー体
１５ａ１、１５ｂ１  螺子
１６  モーター
１７  安全装置
１８  壁部
１９ａ、１９ｂ  軸支部
１９ａ１、１９ｂ１  外側端部
２０ａ、２０ｂ  軸受円板
２１ａ、２１ｂ  軸受溝
２２ａ  プーリ収容溝
２２ｂ  カップリング収容溝
２３  回転体組立
２４  連結軸
２５ａ  カップリング
２５ｂ  カップリング
２５ａ１  ブラシ側カップリング
２５ａ２  軸受側カップリング
２６  従動プーリ
２６ａ  ギヤ部
２７  駆動プーリ
２８  ベルト
３１  回転ブラシ組立
３２  清掃部材
３３  溝部
３４ａ、３４ｂ  不繊布
３５ａ、３５ｂ  不繊布
３６ａ、３６ｂ  短起毛布
３７ａ、３７ｂ  長起毛布
３８ａ、３８ｂ  後側長起毛布
５１  電気掃除機
５２  掃除機本体
５３  電動送風機
５４  本体吸込口
５５  ホース体５
５６  手元操作部
５７  把持部
５８  設定ボタン
５９  延長管
Ｐ  通気路
Ｒ  連通路
Ｓ  空間部
【図１】
2010035829.tif 000003
【図２】
2010035829.tif 000004
【図３】
2010035829.tif 000005
【図４】
2010035829.tif 000006
【図５】
2010035829.tif 000007
【図６】
2010035829.tif 000008
【図７】
2010035829.tif 000009
【図８】
2010035829.tif 000010
【図９】
2010035829.tif 000011
【図１０】
2010035829.tif 000012
【図１１】
2010035829.tif 000013
【図１２】
2010035829.tif 000014
【図１３】
2010035829.tif 000015